(57)【要約】【課題】  「調整モード」が選択された状態下においても作業機の安全性を確実に確保作業機の安全性を確保する。【解決手段】  操作入力手段２からの信号に基づいて駆動制御される駆動手段８を備えた作業機に、該作業機の作業状態を検出する検出器３と、該検出器３からの検出信号を受けて上記作業機の稼働状態を判別し該作業機が安全に稼働するように上記駆動手段８に制御信号を出力する制御手段４とを備えたものにおいて、上記検出器３の調整を行う時に選択される調整モードと該検出器からの検出信号を受けて上記作業機が安全に稼働するように演算制御する通常モードとを選択可能としたモード選択手段１を備え、制御電源の投入時に調整モードが選択されていた時には上記作業機の駆動が規制されるように構成する。かかる構成とすることで、万一、上記モード選択手段１が調整モードに選択された状態のまま作業機が使用されたとしても、該作業機は駆動せず、作業機の安全性がより一層向上する。【選択図】        図１
2007261818.tif 000002
【特許請求の範囲】
【請求項１】
操作入力手段からの信号に基づいて駆動制御される駆動手段を備えた作業機に、該作業機の作業状態を検出する検出器と、該検出器からの検出信号を受けて上記作業機の稼働状態を判別し該作業機が安全に稼働するように上記駆動手段に制御信号を出力する制御手段とを備えた作業機の安全装置において、
上記制御手段に、上記検出器の調整を行う時に選択され上記検出器の異常監視を行う異常監視機能を無効とした上で該検出器の調整を可能とする調整モードと、該検出器からの検出信号を受けて上記作業機が安全に稼働するように演算制御する通常モードとを選択可能としたモード選択手段と、制御電源の投入時に上記モード選択手段が調整モードに選択されている時には上記作業機の駆動を規制する作動規制手段を備えたことを特徴とする作業機の安全装置。
【請求項２】
操作入力手段からの信号に基づいて駆動制御される駆動手段を備えた作業機に、該作業機の作業状態を検出する検出器と、該検出器からの検出信号を受けて上記作業機の稼働状態を判別し該作業機が安全に稼働するように上記駆動手段に制御信号を出力する制御手段とを備えた作業機の安全装置において、
上記制御手段に、上記検出器の調整を行う時に選択され上記検出器の異常監視を行う異常監視機能を無効とした上で該検出器の調整を可能とする調整モードと、該検出器からの検出信号を受けて上記作業機が安全に稼働するように演算制御する通常モードとを選択可能としたモード選択手段と、制御電源の投入時に上記モード選択手段が調整モードに選択されている時には該調整モードの選択にかかわらず通常モードとして上記制御手段の制御を立ち上げる作動規制手段を備えたことを特徴とする作業機の安全装置。
【請求項３】
操作入力手段からの信号に基づいて駆動制御される駆動手段を備えた作業機に、該作業機の作業状態を検出する検出器と、該検出器からの検出信号を受けて上記作業機の稼働状態を判別し該作業機が安全に稼働するように上記駆動手段に制御信号を出力する制御手段とを備えた作業機の安全装置において、
上記制御手段に、上記検出器の調整を行う時に選択され上記検出器の異常監視を行う異常監視機能を無効とした上で該検出器の調整を可能とする調整モードと、該検出器からの検出信号を受けて上記作業機が安全に稼働するように演算制御する通常モードとを選択可能としたモード選択手段と、制御電源の投入時には上記モード選択手段の選択モードを通常モードに設定した状態で上記制御手段の制御を立ち上げる作動規制手段を備えたことを特徴とする作業機の安全装置。
【発明の詳細な説明】
【技術分野】
【０００１】
本願発明は、作業機の安全装置に関するものである。
【背景技術】
【０００２】
従来、高所作業車とかクレーン車等の作業機には、例えば作業機に過大な負荷がかかってこれが転倒に至るのを未然に防止するための過負荷防止機能とか、作業機の周辺構造物との干渉を防止する等のために該作業機の動作を規制する動作規制機能等の安全監視機能を備えた安全装置が装備されている。そして、この安全装置においては、上記各機能を有効に作動させるために、作業機の動作状態を検出する各種の検出器を備え、該各検出器の検出結果を用いて該作業機の安全度を判定するようにしている。
【０００３】
この場合、安全装置の信頼性の確保という点においては、上記各検出器が正常に作動し且つ精度の良い検出を行うことが必須の条件となる。このため、例えば、特許文献１に示されるように、作業機においては、上記安全装置に上記各検出器の異常を監視する異常監視機能を付加するとともに、上記各検出器による正確な状態検出を行うための検出器の調整機能を有している。そして、この検出器の調整動作を行う「調整モード」と通常の動作を行う「通常モード」とを選択可能としたモード選択手段を備えている。
【０００４】
【特許文献１】特開平１−２９９２００号公報。
【発明の開示】
【発明が解決しようとする課題】
【０００５】
ところで、モード選択手段を「調整モード」に設定して検出器の調整動作を行う場合には、該検出器に色々な調整値を入れて作業機を動作させ、該検出器が正確な状態検出を行うように該検出器を調整する関係上、上記異常監視機能を有効としたまま調整動作を行うと、調整値の設定の如何によっては調整中に上記異常監視機能が働いて「検出器の異常」と判定し、該検出器の検出結果に基づく安全監視機能が作動して作業機の動作が停止されるとか警報が発せられることとなり、調整動作に支障を来すことにもなる。
【０００６】
このため、一般に、検出器の調整動作時には、異常監視機能を無効とし、また場合によっては安全監視機能のうち、作業機の安全確保上最も重要な過負荷防止機能のみを有効とし、それ以外の機能、例えば動作規制機能等は無効とするようにしていた。
【０００７】
ところが、このように検出器の調整動作時に上記安全装置における異常監視機能を無効とすると、例えば、調整動作の完了後に上記モード選択手段を「調整モード」から「通常モード」に切り換えるべきところ、万一、「調整モード」のまま放置された場合には、該作業機を使用しての作業の安全確保上問題が生じる。即ち、例えば、検出器に異常が生じた場合でもこの検出器の異常監視が為されないので、この検出器の正常でない検出結果に基づいて転倒防止等の安全監視が行われることとなり、安全性が十分に確保されないことも懸念される。
【０００８】
そこで本願発明は、「調整モード」が選択された状態下においても作業機の安全性を確実に確保し得るようにした作業機の安全装置を提供せんとしてなされたものである。
【課題を解決するための手段】
【０００９】
本願発明ではかかる課題を解決するための具体的手段として次のような構成を採用している。
【００１０】
本願の第１の発明では、操作入力手段からの信号に基づいて駆動制御される駆動手段を備えた作業機に、該作業機の作業状態を検出する検出器と、該検出器からの検出信号を受けて上記作業機の稼働状態を判別し該作業機が安全に稼働するように上記駆動手段に制御信号を出力する制御手段とを備えた作業機の安全装置において、上記制御手段に、上記検出器の調整を行う時に選択され上記検出器の異常監視を行う異常監視機能を無効とした上で該検出器の調整を可能とする調整モードと、該検出器からの検出信号を受けて上記作業機が安全に稼働するように演算制御する通常モードとを選択可能としたモード選択手段と、制御電源の投入時に上記モード選択手段が調整モードに選択されている時には上記作業機の駆動を規制する作動規制手段を備えたことを特徴としている。
【００１１】
本願の第２の発明では、操作入力手段からの信号に基づいて駆動制御される駆動手段を備えた作業機に、該作業機の作業状態を検出する検出器と、該検出器からの検出信号を受けて上記作業機の稼働状態を判別し該作業機が安全に稼働するように上記駆動手段に制御信号を出力する制御手段とを備えた作業機の安全装置において、上記制御手段に、上記検出器の調整を行う時に選択され上記検出器の異常監視を行う異常監視機能を無効とした上で該検出器の調整を可能とする調整モードと、該検出器からの検出信号を受けて上記作業機が安全に稼働するように演算制御する通常モードとを選択可能としたモード選択手段と、制御電源の投入時に上記モード選択手段が調整モードに選択されている時には該調整モードの選択にかかわらず通常モードとして上記制御手段の制御を立ち上げる作動規制手段を備えたことを特徴としている。
【００１２】
本願の第３の発明では、操作入力手段からの信号に基づいて駆動制御される駆動手段を備えた作業機に、該作業機の作業状態を検出する検出器と、該検出器からの検出信号を受けて上記作業機の稼働状態を判別し該作業機が安全に稼働するように上記駆動手段に制御信号を出力する制御手段とを備えた作業機の安全装置において、上記制御手段に、上記検出器の調整を行う時に選択され上記検出器の異常監視を行う異常監視機能を無効とした上で該検出器の調整を可能とする調整モードと、該検出器からの検出信号を受けて上記作業機が安全に稼働するように演算制御する通常モードとを選択可能としたモード選択手段と、制御電源の投入時には上記モード選択手段の選択モードを通常モードに設定した状態で上記制御手段の制御を立ち上げる作動規制手段を備えたことを特徴としている。
【発明の効果】
【００１３】
本願発明ではかかる構成とすることにより次のような効果が得られる。
【００１４】
（ａ）  本願の第１の発明にかかる作業機の安全装置によれば、制御電源の投入時にモード選択手段が調整モードに選択されていた時には、検出器の異常監視を行う異常監視機能が無効とされていても作業機の駆動が規制されるので、作業機の使用に際しては最初に制御電源が投入されるということを考慮すれば、例えば、検出器の調整動作において選択された調整モードを調整動作の完了後に通常モードに戻すのを万一忘れた場合であっても、その初期操作の段階で作業機の駆動が確実に規制され、該作業機を駆動させて作業を行うことは不能とされる。従って、例えば、従来のように検出器の異常監視が行われず安全監視機能が十分に働かない状態で作業機が駆動される虞れがあるような場合に比して、作業機の安全性がより一層向上し、作業上の高い信頼性が確保されるものである。
【００１５】
（ｂ）  本願の第２の発明にかかる作業機の安全装置によれば、制御電源の投入時に上記モード選択手段が調整モードに選択されている時には、検出器の異常監視を行う異常監視機能が無効とされていても該調整モードの選択にかかわらず通常モードとして制御手段の制御が立ち上げられるので、作業機の使用に際しては最初に制御電源が投入されるということを考慮すれば、例えば、検出器の調整動作において選択された調整モードを調整動作の完了後に通常モードに戻すのを万一忘れた場合であっても、その初期操作の段階で実際の選択モードに左右されることなく通常モードとして制御が立ち上がり検出器の異常監視機能が有効とされた状態で安全監視機能が働くので、作業機は高い精度の安全監視の下で駆動される。従って、例えば、従来のように検出器の異常監視が行われず安全監視機能が十分に働かない状態で作業機が駆動される虞れがあるような場合に比して、作業機の安全性がより一層向上し、作業上の高い信頼性が確保されるものである。
【００１６】
（ｃ）  本願の第３の発明にかかる作業機の安全装置によれば、制御電源の投入時に上記モード選択手段が調整モードに選択されている時には、検出器の異常監視を行う異常監視機能が無効とされていても該モード選択手段の選択モードを通常モードに設定した状態で制御手段の制御を立ち上げるようにしているので、作業機の使用に際しては最初に制御電源が投入されるということを考慮すれば、例えば、検出器の調整動作において選択された調整モードを調整動作の完了後に通常モードに戻すのを万一忘れた場合であっても、その初期操作の段階で通常モードとされ、検出器の異常監視機能が有効とされた状態で安全監視機能が働くので、作業機は高い精度の安全監視の下で駆動される。従って、例えば、従来のように検出器の異常監視が行われず安全監視機能が十分に働かない状態で作業機が駆動される虞れがあるような場合に比して、作業機の安全性がより一層向上し、作業上の高い信頼性が確保されるものである。
【発明を実施するための最良の形態】
【００１７】
以下、本願発明にかかる作業機の安全装置を好適な実施形態に基づいて具体的に説明する。
【００１８】
図１には、本願発明にかかる作業機の安全装置の機能ブロック図を示している。この安全装置には、安全監視手段５と作動規制手段６とを備えた制御手段４が設けられている。そして、この安全監視手段５には、検出器３において検出される作業機の作業状態信号と、次述のモード選択手段１において選択されたモード信号とがそれぞれ入力される。また、上記作動規制手段６には、次述の操作入力手段２から操作信号が入力される。
【００１９】
Ａ：モード選択手段１
上記モード選択手段１は、上記検出器３からの検出信号を受けて作業機が安全に稼働するように演算制御を行う「通常モード」と、該検出器３の調整を行う時に選択されて該検出器３の調整を可能とする「調整モード」との間で動作モードを選択するものであって、その具体的形態としては、作業者による切換操作によって「通常モード」と「調整モード」との間で動作モードを選択する切換スイッチで構成されるもの（後述する第１〜第３の実施形態において想定するもの）とか、作業者の操作回数に応じて「通常モード」と「調整モード」を交互に選択するマイクロスイッチで構成されるもの（後述する第４の実施形態において想定するもの）、等である。
【００２０】
Ｂ：操作入力手段２
上記操作入力手段２は、一般ユーザーが作業機を使用して所要の作業を行う場合に操作される操作レバーで構成され、その操作に対応して駆動手段８が駆動される。
【００２１】
Ｃ：制御手段４
Ｃ−１：安全監視手段５
上記安全監視手段５は、上記検出器３からの作業機の作業状態にかかる情報を受けて、該作業機の安全監視を行うものであって、その機能としては、例えば過大な負荷による作業機の転倒等を未然に防止するための過負荷防止機能とか、作業機とその周辺構造物との干渉を防止すべく該作業機の動作を所定範囲内に規制する動作規制機能等の安全監視のための直接的な機能の他に、安全監視の基礎となる上記検出器３の異常監視を行う異常監視機能等を備えている。
【００２２】
また、後述する各実施形態においては、上記安全監視手段５は上記モード選択手段１における動作モードの選択結果に応じて異なった機能を発揮するものとして説明する。例えば、上記モード選択手段１が「通常モード」に選択されている場合には該安全監視手段５が備える総ての機能を有効とする一方、「調整モード」が選択されている場合には該安全監視手段５が備える総ての機能のうち、安全確保上において最も重要な過負荷防止機能のみを有効とし、それ以外の機能は無効とするものとしている。
【００２３】
そして、上記安全監視手段５は、その過負荷防止機能として、上記モード選択手段１が何れの動作モードに設定されている場合においても、作業機に過大な負荷がかかった場合のように該作業機の安全性が担保できない状態となった場合には該作業機のそれ以上の動作を禁止すべく次述の作動規制手段６に作動規制信号を出力するとともに、上記警報手段７に警報信号を出力する。また、上記モード選択手段１が「通常モード」に設定されている場合には、上記動作規制機能として、作業機とその周辺構造物との干渉の危険性がある場合には干渉方向への動作を規制すべく後述の作動規制手段６に作動規制信号を出力するとともに、上記検出器３の異常監視をも行う。さらに、上記モード選択手段１が「調整モード」に設定されている場合には、後述の作動規制手段６に作動規制信号を出力する（後述の第１及び第２の実施形態の場合）。
【００２４】
Ｃ−２：作動規制手段６
上記制御手段４における上記作動規制手段６は、上記安全監視手段５から作動規制信号を受けた場合に、上記操作入力手段２の操作を無効とし、該操作入力手段２の操作に拘わらず上記駆動手段８の作動を規制するものである。
【００２５】
Ｄ：各実施形態における制御の説明
上述した安全装置の機能を踏まえた上で、実際の制御を以下に示す各実施形態に基づいて具体的に説明する。
【００２６】
Ｄ−１：第１の実施形態
図２には、第１の実施形態における制御を示しており、これを説明すると次の通りである。
【００２７】
即ち、作業機の作業開始に際して制御電源を投入すると、先ずステップＳ１において、現時点における選択モードの判定、即ち、「通常モード」と「調整モード」のうちの何れの動作モードが選択されているかの判定が行われる。ここで、「通常モード」が選択されている場合には、通常動作が実行される（ステップＳ３）。即ち、この通常動作においては、上記安全監視手段５のもつ機能の総てが有効に働いた状態で作業機が駆動され、該作業機により所定の作業が行われる。そして、作業機の安全性が損なわれる状態となった場合には、上記安全監視手段５から作動規制手段６に作動規制信号が出力され、駆動手段８の動作が規制される。また、同時に警報手段７から所定の警報が発せられ、作業者に注意を促す。
【００２８】
この通常動作は、その動作の途中において上記モード選択手段１が操作され且つ動作モードとして「調整モード」が選択されるまで継続される（ステップＳ２→ステップＳ３）。そして、実際に「調整モード」の選択が行われると通常動作に変わって調整動作が実行される（ステップＳ４）。そして、この調整動作は、再度、上記モード選択手段１が操作され且つ動作モードとして「通常モード」が選択されるまで継続される（ステップＳ２→ステップＳ４）。
【００２９】
一方、ステップＳ１での判定の結果、現在の動作モードが「調整モード」であるとされた場合には、上記安全監視手段５から上記作動規制手段６に作動規制信号が出力され、上記駆動手段８の作動規制が実行され（ステップＳ５）、上記作業機は非動作のまま維持される。また、これと同時に、上記警報手段７から警報が発せられる（ステップＳ６）。
【００３０】
即ち、この実施形態の安全装置においては、制御電源の投入時にモード選択手段１が調整モードに選択されていた時には、作業機の駆動が規制される。従って、作業機の使用に際しては最初に制御電源が投入されるということを考慮すれば、例えば、検出器３の調整動作において選択された「調整モード」を調整動作の完了後に「通常モード」に戻すのを万一忘れたような場合であっても、制御電源の投入という初期操作の段階において、作業機の駆動が確実に規制され、該作業機を駆動させて作業を行うことは不能とされるものである。このため、例えば、従来のように検出器の異常監視が行われず安全監視機能が十分に働かない状態で作業機が駆動される虞れがあるような場合に比して、作業機の安全性がより一層向上し、作業上の高い信頼性が確保されるものである。
【００３１】
尚、制御電源の投入時に「調整モード」が選択されており、作業機の作動規制が実行された場合において、通常動作を希望する場合には、一旦、制御電源を切り、上記モード選択手段１を「通常モード」に設定した状態で制御電源を再投入すれば良い。
【００３２】
Ｄ−２：第２の実施形態
図３には、第２の実施形態における制御を示しており、これを説明すると次の通りである。
【００３３】
即ち、作業機の作業開始に際して制御電源を投入すると、先ずステップＳ１において、現時点における選択モードの判定、即ち、「通常モード」と「調整モード」のうちの何れの動作モードが選択されているかの判定が行われる。ここで、「通常モード」が選択されている場合には、さらにステップＳ２において、新たに上記モード選択手段１による動作モードの選択が行われたかどうかの判定がされる。ここで、新たな選択操作は行われていないと判定された場合（即ち、動作モードは「通常モード」のままである場合）には、通常動作が実行される（ステップＳ３）とともに、新たな選択操作が行われるまで「通常モード」がそのまま継続される（ステップＳ２→ステップＳ３）。
【００３４】
これに対して、新たな選択操作が行われたと判定された場合（即ち、動作モードは当初の「通常モード」から「調整モード」に変更されている場合）には、調整動作が実行される（ステップＳ４）とともに、新たな選択操作が行われるまで「調整モード」がそのまま継続される（ステップＳ２→ステップＳ４）。
【００３５】
一方、制御電源の投入時における動作モードが「調整モード」であると判定された場合には、上記安全監視手段５から作動規制手段６に作動規制信号が出力され、作業機の作動が規制される（ステップＳ５）とともに、警報が発せられる（ステップＳ６）。また、この作動規制が実行された場合には、さらにステップＳ７において、新たに上記モード選択手段１による動作モードの選択が行われたかどうかの判定がされる。
【００３６】
ここで、新たな選択操作は行われていないと判定された場合（即ち、動作モードは「調整モード」のままである場合）には、新たな選択操作が行われるまで作動規制がそのまま継続される（ステップＳ５→ステップＳ７）。これに対して、新たな選択操作が行われたと判定された場合（即ち、動作モードは当初の「調整モード」から「通常モード」に変更されている場合）には、通常動作を実行する（ステップＳ３）とともに、新たな選択操作が行われるまで「通常モード」が継続される（ステップＳ２→ステップＳ３）。また、ステップＳ２において、新たな選択操作が行われたと判定された場合（即ち、動作モードが「通常モード」から「調整モード」に変更された場合）には、調整動作が実行される（ステップＳ４）とともに、新たな選択操作が行われるまで「調整モード」が継続される（ステップＳ２→ステップＳ４）。
【００３７】
即ち、この実施形態の安全装置においては、制御電源の投入時にモード選択手段１が調整モードに選択されていた時には、作業機の駆動が規制される。従って、作業機の使用に際しては最初に制御電源が投入されるということを考慮すれば、例えば、検出器３の調整動作において選択された「調整モード」を調整動作の完了後に「通常モード」に戻すのを万一忘れたような場合であっても、制御電源の投入という初期操作の段階において、作業機の駆動が確実に規制され、該作業機を駆動させて作業を行うことは不能とされるものである。このため、例えば、従来のように検出器の異常監視が行われず安全監視機能が十分に働かない状態で作業機が駆動される虞れがあるような場合に比して、作業機の安全性がより一層向上し、作業上の高い信頼性が確保されるものである。
【００３８】
Ｄ−３：第３の実施形態
図４には、第３の実施形態における制御を示しており、これを説明すると次の通りである。
【００３９】
即ち、作業機の作業開始に際して制御電源を投入すると、先ずステップＳ１において、現時点における選択モードの判定、即ち、「通常モード」と「調整モード」のうちの何れの動作モードが選択されているかの判定が行われる。ここで、「通常モード」が選択されている場合にはフラグを「０」に設定する（ステップＳ２）。これに対して、「調整モード」が選択されている場合には、フラグを「１」に設定する（ステップＳ３）。
【００４０】
ここで、これ以降の制御を、制御電源投入時の動作モードが「通常モード」である場合と、制御電源投入時の動作モードが「調整モード」である場合とに分けてそれぞれその制御を説明する。
【００４１】
先ず、制御電源投入時の動作モードが「通常モード」である場合には、ステップＳ２からステップＳ４に移行し、新たな動作モードの選択操作が行われたか否かの判定を行う。新たな選択操作は行われていない場合（即ち、動作モードは「通常モード」のままである場合）には、フラグを「０」に再設定し（ステップＳ５）、通常動作を実行する（ステップＳ６）。この通常動作は、新たに動作モードの選択操作が行われるまで継続される（ステップＳ４→ステップＳ６）。これに対して、ステップＳ４において新たな動作モードの選択操作がなされたと判定された場合（即ち、動作モードが「通常モード」から「調整モード」に変更された場合）には、ステップＳ７においてフラグの判定を行うが、このフラグは「０」であるため、ステップＳ７からステップＳ８に移行して調整動作を実行する。この調整動作は、新たに動作モードの選択操作が行われるまで継続される（ステップＳ４→ステップＳ７→ステップＳ８）。そして、ステップＳ４において、新たな動作モードの選択操作がなされたと判定された場合には、フラグを「０」に設定し（ステップＳ５）、通常動作に移行する（ステップＳ６）。
【００４２】
一方、制御電源投入時の動作モードが「調整モード」である場合には、ステップＳ３からステップＳ４に移行し、新たな動作モードの選択操作が行われたか否かの判定を行う。新たな選択操作は行われていない場合（即ち、動作モードは「調整モード」のままである場合）には、ステップＳ４からステップＳ７を経て、ステップＳ６において通常動作を実行する。この通常動作は、新たに動作モードの選択操作が行われるまで継続される（ステップＳ４→ステップＳ７→ステップＳ６）。
【００４３】
これに対して、ステップＳ４において新たな動作モードの選択操作がなされたと判定された場合（即ち、動作モードが「調整モード」から「通常モード」に変更された場合）には、ステップＳ５においてフラグを「０」に設定した後、通常動作に移行する（ステップＳ６）。この通常動作は、新たに動作モードの選択操作が行われるまで継続される（ステップＳ４→ステップＳ５→ステップＳ６）。
【００４４】
また、この通常動作の実行中にステップＳ４において、新たな動作モードの選択操作がなされたと判定された場合（即ち、動作モードが「通常モード」から「調整モード」に変更された場合）には、ステップＳ７を経てステップＳ８に移行し、調整動作が実行される。
【００４５】
即ち、この実施形態の安全装置においては、制御電源の投入時に上記モード選択手段１が「調整モード」に選択されている時には該調整モードの選択にかかわらず「通常モード」として制御が立ち上げられるものである。従って、作業機の使用に際しては最初に制御電源が投入されるということを考慮すれば、例えば、検出器３の調整動作において選択された「調整モード」を調整動作の完了後に「通常モード」に戻すのを万一忘れた場合であっても、その初期操作の段階で実際の選択モードに左右されることなく「通常モード」として制御が立ち上がり、検出器３の異常監視機能が有効とされた状態で安全監視機能が働くので、作業機は高い精度の安全監視の下で駆動される。従って、例えば、従来のように検出器の異常監視が行われず安全監視機能が十分に働かない状態で作業機が駆動される虞れがあるような場合に比して、作業機の安全性がより一層向上し、作業上の高い信頼性が確保されるものである。
【００４６】
Ｄ−４：第４の実施形態
図５には、第４の実施形態における制御を示しており、これを説明すると次の通りである。尚、上記第１〜第３の実施形態においては、上記モード選択手段１を切換スイッチで構成したものを想定しているが、この第４の実施形態においては、上記モード選択手段１を押しボタン式のマイクロスイッチで構成したものを想定している。
【００４７】
作業機の作業開始に際して制御電源を投入すると、先ずステップＳ１において初期の動作モードが「通常モード」に自動的に設定され、そのまま通常動作が実行される（ステップＳ２）。
【００４８】
次に、ステップＳ３において、モード選択スイッチ、即ち、マイクロスイッチで構成される上記モード選択手段１が操作されたか否かの判定が行われる。ここで、操作はされていないと判定された場合には、そのまま通常動作が継続される。これに対して、ステップＳ３において、モード選択スイッチが操作されたと判定された場合には、動作モードが「通常モード」から「調整モード」に変更設定され（ステップＳ４）、調整動作が実行される（ステップＳ５）。調整動作への移行後は、さらにステップＳ６においてモード選択スイッチの操作の判定がなされ、操作されていない場合にはそのまま調整動作が継続されるが、操作された場合にはステップＳ１に移行し、動作モードが「通常モード」に設定され、通常動作が実行される（ステップＳ２）。
【００４９】
即ち、この実施形態の安全装置においては、制御電源の投入時に上記モード選択手段１の選択モードを「通常モード」に設定した状態で制御が立ち上げられるものである。従って、作業機の使用に際しては先ず最初に制御電源が投入されるということを考慮すれば、例えば、検出器３の調整動作において選択された「調整モード」を調整動作の完了後に「通常モード」に戻すのを万一忘れた場合であっても、その初期操作の段階で「通常モード」とされ、検出器３の異常監視機能が有効とされた状態で安全監視機能が働くので、作業機は高い精度の安全監視の下で駆動されることになる。このため、例えば、従来のように検出器の異常監視が行われず安全監視機能が十分に働かない状態で作業機が駆動される虞れがあるような場合に比して、作業機の安全性がより一層向上し、作業上の高い信頼性が確保されるものである。
【図面の簡単な説明】
【００５０】
【図１】本願発明にかかる作業機の安全装置の機能ブロック図である。
【図２】図１に示した安全装置の第１の実施形態における制御フローチャートである。
【図３】図１に示した安全装置の第２の実施形態における制御フローチャートである。
【図４】図１に示した安全装置の第３の実施形態における制御フローチャートである。
【図５】図１に示した安全装置の第４の実施形態における制御フローチャートである。
【符号の説明】
【００５１】
１はモード選択手段、２は操作入力手段、３は検出器、４は制御手段、５は安全監視手段、６は作動規制手段、７は警報手段、８は駆動手段である。
【図１】
2007261818.tif 000003
【図２】
2007261818.tif 000004
【図３】
2007261818.tif 000005
【図４】
2007261818.tif 000006
【図５】
2007261818.tif 000007